(57)【要約】【課題】携帯端末装置の検索が携帯端末装置のユーザによるものか他人によるものかどうかを判断できて、携帯端末装置の他人による不正利用を未然に防止することができる携帯端末検索システム及び携帯端末検索方法を提供する。【解決手段】移動通信センター４の判断部４７が、状態管理部４３におけるロック設定又は通話停止設定の各設定状態に基づいて検索者がユーザか否かを判断し、ユーザの場合は、高精度の地図に携帯端末装置の位置情報（ＧＰＳ機能で測位された位置情報）を重畳させてユーザＰＣに送信し、他人の場合は、低精度の地図に縮尺を変更し、縮尺変更した地図に携帯端末装置と通信を行っている基地局の位置情報を重畳させて他人ＰＣに送信する。また、他人による検索が行われた場合には検索対象の携帯端末装置にメール送信及び／又は着信通知を行う。【選択図】図２
2008270852.tif 000002
【特許請求の範囲】
【請求項１】
携帯端末装置の検索を行うと共に、その検索結果を通知する移動通信センターを備えた携帯端末検索システムであって、前記移動通信センターは、前記携帯端末装置の検索者からの要求に応じて前記携帯端末装置の位置情報を取得する位置情報取得手段と、前記携帯端末装置の利用制限がなされているかの状態を管理する管理手段と、前記管理手段における状態に基づいて前記検索者が前記携帯端末装置のユーザかどうかを判断する判断手段と、前記判断手段により、前記検索者が前記携帯端末装置のユーザであると判断された場合には、ユーザ用の検索結果を前記検索者に送信し、前記検索者が前記携帯端末装置のユーザでないと判断された場合には、非ユーザ用の検索結果を前記検索者に送信する送信手段と、を具備することを特徴とする携帯端末検索システム。
【請求項２】
前記送信手段は、前記位置情報が取得できた場合に、ユーザ用の検索結果として前記携帯端末装置の位置を重畳した地図を第１の精度で前記検索者に送信し、非ユーザ用の検索結果として前記携帯端末装置の位置を重畳した地図を前記第１の精度より粗い第２の精度で前記検索者に送信することを特徴とする請求項１記載の携帯端末検索システム。
【請求項３】
前記判断手段は、前記携帯端末装置の利用制限がなされている場合に、前記検索者が前記携帯端末装置のユーザであると判断することを特徴とする請求項１又は請求項２記載の携帯端末検索システム。
【請求項４】
前記送信手段は、非ユーザ用の検索結果として前記携帯端末装置に所定の通知を行い、ユーザ用の検索結果として前記所定の通知を行わないことを特徴とする請求項１から請求項３のいずれかに記載の携帯端末検索システム。
【請求項５】
移動通信センターにおいて、携帯端末装置の検索者からの要求に応じて前記携帯端末装置の位置情報を取得する工程と、前記携帯端末装置の利用制限がなされているかの状態を確認する工程と、前記確認の結果に基づいて前記検索者が前記携帯端末装置のユーザかどうかを判断する工程と、前記判断に基づいて、前記検索者が前記携帯端末装置のユーザである場合には、ユーザ用の検索結果を前記検索者に送信し、前記検索者が前記携帯端末装置のユーザでない場合には、非ユーザ用の検索結果を前記検索者に送信する工程と、を具備することを特徴とする携帯端末検索方法。
【請求項６】
前記位置情報が取得できた場合に、ユーザ用の検索結果として前記携帯端末装置の位置を重畳した地図を第１の精度で前記検索者に送信し、非ユーザ用の検索結果として前記携帯端末装置の位置を重畳した地図を前記第１の精度より粗い第２の精度で前記検索者に送信することを特徴とする請求項５記載の携帯端末検索方法。
【請求項７】
前記携帯端末装置の利用制限がなされている場合に、前記検索者が前記携帯端末装置のユーザであると判断することを特徴とする請求項５又は請求項６記載の携帯端末検索方法。
【請求項８】
非ユーザ用の検索結果として前記携帯端末装置に所定の通知を行い、ユーザ用の検索結果として前記所定の通知を行わないことを特徴とする請求項５から請求項７のいずれかに記載の携帯端末検索方法。
【発明の詳細な説明】
【技術分野】
【０００１】
本発明は、置き忘れや紛失した携帯端末装置（例えば携帯電話）を検索可能な携帯端末検索システム及び携帯端末検索方法に関し、特にパソコン等のユーザ端末を使用した検索が可能な携帯端末検索システム及び携帯端末検索方法に関する。
【背景技術】
【０００２】
従来、置き忘れたり紛失したりした携帯端末装置をパソコン等のユーザ端末を使用して検索できる携帯端末検索システムが提案されている。特許文献１には、遠隔地から携帯電話にロックをかける操作を行って第三者による不正使用を防止し、携帯電話の位置情報を得て早期に探し出すことが開示されている。この特許文献１で開示された方法においては、ユーザが所有する携帯電話を紛失した場合に、ユーザ端末から携帯電話に対してロック要求を送信して携帯電話の操作をロックする。その際に、携帯電話側で自身の位置情報を通信事業者に問い合わせるなどして取得することにより、その位置情報をユーザ端末に送信する。そして、ユーザ端末では携帯電話の位置情報を受信すると、地図情報データベースから該当する地域の地図情報を読み出して携帯電話の現在位置と関連付けて表示する。
【特許文献１】特開２００３−２２４８８６号公報
【発明の開示】
【発明が解決しようとする課題】
【０００３】
しかしながら、特許文献１で開示されている技術においては、携帯端末装置の検索が携帯端末装置のユーザによるものか他人によるものかどうかを判断することができず、ユーザ以外の人が検索して探し出すことも可能であり、最悪の場合には不正利用されてしまう虞がある。
【０００４】
本発明はかかる点に鑑みてなされたものであり、携帯端末装置の検索が携帯端末装置のユーザによるものか他人によるものかどうかを判断でき、携帯端末装置の他人による不正利用を未然に防止することができる携帯端末検索システム及び携帯端末検索方法を提供することを目的とする。
【課題を解決するための手段】
【０００５】
本発明の携帯端末検索システムは、携帯端末装置の検索を行うと共に、その検索結果を通知する移動通信センターを備えた携帯端末検索システムであって、前記移動通信センターは、前記携帯端末装置の検索者からの要求に応じて前記携帯端末装置の位置情報を取得する位置情報取得手段と、前記携帯端末装置の利用制限がなされているかの状態を管理する管理手段と、前記管理手段における状態に基づいて前記検索者が前記携帯端末装置のユーザかどうかを判断する判断手段と、前記判断手段により、前記検索者が前記携帯端末装置のユーザであると判断された場合には、ユーザ用の検索結果を前記検索者に送信し、前記検索者が前記携帯端末装置のユーザでないと判断された場合には、非ユーザ用の検索結果を前記検索者に送信する送信手段と、を具備することを特徴とする。
【０００６】
この構成によれば、検索対象の携帯端末装置の利用制限がなされているかの状態に基づいて検索者がユーザか否かを判断するので、ユーザ以外の者による携帯端末装置の不正利用を未然に防止することが可能となる。
【０００７】
本発明の携帯端末検索システムにおいては、前記送信手段は、前記位置情報が取得できた場合に、ユーザ用の検索結果として前記携帯端末装置の位置を重畳した地図を第１の精度で前記検索者に送信し、非ユーザ用の検索結果として前記携帯端末装置の位置を重畳した地図を前記第１の精度より粗い第２の精度で前記検索者に送信することが好ましい。この構成によれば、ユーザ以外の者が検索した場合に地図表示の縮尺を小さくするので、１画面で表示される地図が広範囲になって細かな位置が分かり難くなり、検索対象の携帯端末装置を探し難くすることができる。
【０００８】
本発明の携帯端末検索システムにおいては、前記判断手段は、前記携帯端末装置の利用制限がなされている場合に、前記検索者が前記携帯端末装置のユーザであると判断することが好ましい。この構成によれば、携帯端末装置の検索がユーザ本人か否かを判断することができる。
【０００９】
本発明の携帯端末検索システムにおいては、前記送信手段は、非ユーザ用の検索結果として前記携帯端末装置に所定の通知を行い、ユーザ用の検索結果として前記所定の通知を行わないことが好ましい。この構成によれば、ユーザ以外の者が検索を行った場合、携帯端末装置に所定の通知を行うので、携帯端末装置のユーザは自分以外の者が自己の携帯端末装置を検索したことが分かり、不正利用される前に対策を講じることができる。
【００１０】
移動通信センターにおいて、携帯端末装置の検索者からの要求に応じて前記携帯端末装置の位置情報を取得する工程と、前記携帯端末装置の利用制限がなされているかの状態を確認する工程と、前記確認の結果に基づいて前記検索者が前記携帯端末装置のユーザかどうかを判断する工程と、前記判断に基づいて、前記検索者が前記携帯端末装置のユーザである場合には、ユーザ用の検索結果を前記検索者に送信し、前記検索者が前記携帯端末装置のユーザでない場合には、非ユーザ用の検索結果を前記検索者に送信する工程と、を具備することを特徴とする携帯端末検索方法。
【００１１】
この方法によれば、検索対象の携帯端末装置の利用制限がなされているかの状態に基づいて検索者がユーザか否かを判断するので、ユーザ以外の者による携帯端末装置の不正利用を未然に防止することが可能となる。
【００１２】
本発明の携帯端末検索方法においては、前記位置情報が取得できた場合に、ユーザ用の検索結果として前記携帯端末装置の位置を重畳した地図を第１の精度で前記検索者に送信し、非ユーザ用の検索結果として前記携帯端末装置の位置を重畳した地図を前記第１の精度より粗い第２の精度で前記検索者に送信することが好ましい。この構成によれば、携帯端末装置の検索がユーザ本人か否かを判断することができる。
【００１３】
本発明の携帯端末検索方法においては、前記携帯端末装置の利用制限がなされている場合に、前記検索者が前記携帯端末装置のユーザであると判断することが好ましい。この構成によれば、ユーザ以外の者が検索を行った場合、携帯端末装置に所定の通知を行うので、携帯端末装置のユーザは自分以外の者が自己の携帯端末装置を検索したことが分かり、不正利用される前に対策を講じることができる。
【００１４】
本発明の携帯端末検索方法においては、非ユーザ用の検索結果として前記携帯端末装置に所定の通知を行い、ユーザ用の検索結果として前記所定の通知を行わないことが好ましい。この構成によれば、ユーザ以外の者が検索を行った場合、携帯端末装置に所定の通知を行うので、携帯端末装置のユーザは自分以外の者が自己の携帯端末装置を検索したことが分かり、不正利用される前に対策を講じることができる。
【発明の効果】
【００１５】
本発明による携帯端末検索システム及び携帯端末検索方法は、検索対象の携帯端末装置の利用制限がなされているかの状態に基づいて、検索者がユーザか否かを判断するので、ユーザ以外の者による不正利用を未然に防止することができる。
【発明を実施するための最良の形態】
【００１６】
以下、本発明の実施の形態について、添付図面を参照して詳細に説明する。本実施の形態においては、利用制限が遠隔ロック設定、通話停止設定である場合について説明する。本発明においては、利用制限が遠隔ロック設定、通話停止設定以外の、ユーザの利用を制限する設定であっても良い。また、ここで、ユーザには、利用者や契約者を含む。
【００１７】
図１は、本発明の一実施の形態に係る携帯端末検索システムの概略構成を示すブロック図である。図１に示すシステムは、ユーザＰＣ（Personal Computer）１と、他人ＰＣ２と、これらユーザＰＣ１及び他人ＰＣ２とゲートウェイ３を介して接続される移動通信センター４と、移動通信網５を介して移動通信センター４と接続される携帯電話等の携帯端末装置６とから主に構成されている。ここで、他人とは、ユーザ以外の者をいう。
【００１８】
ユーザＰＣ１には、ネットワーク３を介して移動通信センター４と通信を行って携帯端末装置１の位置を検索するアプリケーションソフトがインストールされている。ユーザＰＣ１のユーザは、契約している携帯端末装置６を何処かに置き忘れたり、紛失したりした場合に端末位置検索用のアプリケーションソフトを起動して検索を行う。この端末位置検索用のアプリケーションソフトは他人ＰＣ２でも使用可能である。即ち、他人ＰＣ２でもユーザＰＣ１が契約している携帯端末装置６を検索することができる。但し、一般的に端末位置検索用のアプリケーションソフトを使用して移動通信センター４と通信を行う場合、ＩＤとパスワードが必要であるので、他人ＰＣ２でユーザＰＣ１が契約している携帯端末装置６を検索する場合、携帯端末装置６のユーザのＩＤとパスワードが必要となる。通常は、ユーザのＩＤとパスワードを入手しない限り、他人ＰＣ２で携帯端末装置６を検索することは不可能である。
【００１９】
移動通信網５は、携帯端末装置６と移動通信センター４との間のネットワークである。この移動通信網５には、通常の移動通信網に加えて移動パケット通信網も含まれる。移動通信センター４は、全ての携帯端末装置６の位置情報を管理する機能を有する。携帯端末装置６は、ＧＰＳ（Global Positioning System）を搭載しており、ＧＰＳにより自装置の位置情報を測位することができる。また、携帯端末装置６は、移動通信網５を介して移動通信センター４との間で情報の送受信を行うことができる。また、携帯端末装置６は、移動通信センター４から位置情報の要求があると、ＧＰＳで測位した位置情報を移動通信センター４に送信する。また、携帯端末装置６は、オペレーティングシステム（移動機ＯＳ）を有しており、移動機ＯＳ上でブラウザ機能、ビューワ機能、ＪＡＭ（Java（登録商標）  Application  Manager）その他の機能が動作する。
【００２０】
図２は、移動通信センター４の概略構成を示すブロック図である。同図において、移動通信センター４は、装置全体を制御する制御部４１と、移動通信網５を介して携帯端末装置６との間で通信を行うと共に、インターネット３を介してユーザＰＣ１又は他人ＰＣ２との間で通信を行う通信制御部４２と、携帯端末装置６に対する着信通知設定、メール送信設定、ロック設定及び通話停止設定を管理する状態管理部４３と、携帯端末装置６の検索履歴を管理する履歴管理部４４と、携帯端末装置６の位置情報と携帯端末装置６と通信可能状態にある基地局（図示略）の位置情報を取得する位置情報取得部４５と、携帯端末装置６の位置を重畳した地図の縮尺を変更する地図縮尺変更部４６と、状態管理部４３における状態に基づいて検索者が携帯端末装置６のユーザかどうかを判断する判断部４７とから主に構成されている。
【００２１】
通信制御部４２は、ユーザＰＣ１又は他人ＰＣ２から送信された位置検索要求を受信し、またユーザＰＣ１又は他人ＰＣ２に縮尺を変えた地図情報を送信し、さらに携帯端末装置６にメール送信又は着信通知を行う。
【００２２】
状態管理部４３は、例えば、図３に示すような、携帯端末装置６に対する各種設定を示すテーブルを有する。図３に示すテーブルでは、「電話番号」、「着信通知設定」、「メール送信設定」、「ロック設定」及び「通話停止設定」の各項目を管理する。この図に示すように、電話番号090-1234-○○○○と090-2341-○○○○の各携帯端末装置６については、ロック設定と通話停止設定がそれぞれ「有」となっている。この設定では、置き忘れか、紛失したものとして検索対象となっているものと推定できる。一方、090-3421-○○○○は、ロック設定も通話停止設定も「無」になっているので、置き忘れたり紛失したりしておらず、ユーザが通常に使用していると推定できる。なお、このテーブルは一例であり、管理項目等については適宜変更することができる。
【００２３】
履歴管理部４４は、例えば、図４に示すような、携帯端末装置６が検索された際の履歴を管理するテーブルを有する。図４に示すテーブルでは、「日付」、「電話番号」、「地図縮尺」、「メール送信」及び「着信通知」の各項目を管理する。この図に示す例では、電話番号090-1234-○○○○の携帯端末装置６が１月１５日に検索されており、電話番号090-4321-○○○○の携帯端末装置６が２月５日に検索されている。また、電話番号090-3214-○○○○の携帯端末装置６が３月２３日に検索されている。特に、電話番号090-1234-○○○○と090-4321-○○○○の各携帯端末装置６については、地図縮尺が「小」となっているので、それぞれのユーザによる検索ではなく、他人による検索と判断された結果である。一方、電話番号090-3214-○○○○の携帯端末装置６については、地図縮尺が「大」となっているので、ユーザによる検索と判断された結果である。この判断は、判断部４７によって行われる。また、地図縮尺の変更は地図縮尺変更部４６によって行われる。なお、このテーブルは一例であり、管理項目等については適宜変更することができる。
【００２４】
位置情報取得部４５は、携帯端末装置６の位置情報と、携帯端末装置６と通信可能状態にある基地局（図示略）の位置情報とを取得する。この位置情報の取得は、ユーザＰＣ１又は他人ＰＣ２において検索が行われた際に行われる。なお、位置情報とは、携帯端末装置６の位置が特定できる情報であれば、通信可能状態にある基地局の位置情報でも良い。
【００２５】
地図縮尺変更部４６は、判断部４７の指示に従って地図の縮尺を変更する。すなわち、ユーザが携帯端末装置６を検索していると判断された場合に、地図縮尺を大きくし、ユーザ以外の者が携帯端末装置６を検索していると判断された場合に、地図縮尺を小さくする。
【００２６】
判断部４７は、携帯端末装置６の検索時に状態管理部４３にアクセスして該携帯端末装置６の設定状態を確認し、検索者がユーザか否かを判断する。具体的には、ロック設定又は通信停止設定のいずれか１つが「有」の場合はユーザと判断し、それ以外はユーザ以外即ち他人と判断する。この判断により、検索者が携帯端末装置６のユーザであると判断された場合には、ユーザ用の検索結果を検索者に送信し、検索者が携帯端末装置６のユーザでないと判断された場合には、非ユーザ用の検索結果を検索者に所定の結果を送信することになる。この場合、位置情報が取得できたときに、ユーザ用の検索結果として携帯端末装置６の位置を重畳した地図を第１の精度で検索者に送信し、非ユーザ用の検索結果として携帯端末装置６の位置を重畳した地図を第１の精度より粗い第２の精度で検索者に送信する。具体的には、検索者がユーザであると判断すると、制御部４１から地図縮尺変更部４６に地図縮尺を「大」にする指示が与えられる。また、検索者がユーザ以外であると判断すると、制御部４１から地図縮尺変更部４６に地図縮尺を「小」にする指示が与えられる。また、検索者が携帯端末装置６のユーザであると判断された場合に、ユーザ用の検索結果として所定の通知を行わないようにしても良い。
【００２７】
このようなシステムにおいて、移動通信センター４は、ユーザＰＣ１から携帯端末装置６をロックする操作があると（即ち遠隔ロック操作があると）、携帯端末装置６にロックをかける。この場合、移動通信センター４は、携帯端末装置６と通信が可能な基地局（図示略）を探し、見つけ出すと、その基地局を介して携帯端末装置６にロックをかける。携帯端末装置６にロックをかけることで、例えば電話帳やメールの閲覧やＩＣカード機能が不能になる。また、移動通信センター４は、ユーザＰＣ１から携帯端末装置６を通話停止設定する操作があると、携帯端末装置６と通信が可能な基地局（図示略）を介して携帯端末装置６を通話停止設定する。携帯端末装置６を通話停止設定することで、通話機能が停止する。
【００２８】
また、移動通信センター４は、ユーザＰＣ１から携帯端末装置６の位置を検索する要求があると、携帯端末装置６と通信が可能な基地局（図示略）を介して携帯端末装置６に位置情報を要求する。そして、携帯端末装置６から位置情報が送られてくると、それを取得すると共に携帯端末装置６と通信を行っている基地局の位置情報を取得する。携帯端末装置６の位置情報と基地局の位置情報を取得すると、携帯端末装置６がロック状態又は通話停止状態であれば、ユーザによる検索と判断して、携帯端末装置６から送信された位置情報を重畳した地図を、ユーザが携帯端末装置６の場所を確実に把握できる縮尺（「大」）にしてユーザＰＣ１に送信する。
【００２９】
一方、携帯端末装置６がロック状態でも通話停止状態でもなければ、ユーザ以外の者即ち他人による検索と判断して、携帯端末装置６と通信を行っている基地局の位置情報を重畳した地図を、当該他人が携帯端末装置６の場所を把握し難い縮尺（「大」）にして他人ＰＣ２に送信する。また、このとき携帯端末装置６にメールを送信する設定になっていれば、検索が行われた旨の内容のメールを送信する。さらに、携帯端末装置６に着信を通知する設定になっていれば、着信通知を行う。また、ユーザ本人による検索でも他人による検索でも、検索が行われた場合には履歴を更新する。
【００３０】
次に、本発明の実施の形態に係る携帯端末検索方法について説明する。
図５は、本発明の実施の形態に係る携帯端末検索方法を説明するためのフロー図である。同図において、まずユーザＰＣ１又は他人ＰＣ２から位置検索要求があるかどうか判定する（ステップＳＴ１１）。この判定において、位置検索要求がなければ他の処理を行い（ステップＳＴ１２）、処理を終える。これに対して位置検索要求があると、検索対象の携帯端末装置６と通信可能な基地局を探し、見つけ出すと、その携帯端末装置６に対して位置情報要求を送信する（ステップＳＴ１３）。図６は、携帯端末装置６を検索している最中のユーザＰＣ１又は他人ＰＣ２上への表示例である。この例では、尺度を「大」にした地図と、「ただいま検索中です。探したい携帯電話の電波状況により、検索にお時間がかかる場合がございます」というメッセージが表示されている。
【００３１】
位置情報要求を送信した後、位置情報（携帯端末装置６の位置情報と、携帯端末装置６と通信を行っている基地局の位置情報）が送られてきたかどうか判定し（ステップＳＴ１４）、位置情報が送られてこない場合はこの判定処理を繰り返し、位置情報が送られてきた場合は携帯端末装置６の設定状態を確認し、ロック設定中であるかどうか判定する（ステップＳＴ１５、ステップＳＴ１６）。ロック設定中である場合は、今回の位置検索がユーザによるものと判断する（ステップＳＴ１８）。今回の位置検索がユーザによるものと判断すると、地図精度を高める（ステップＳＴ１９）。すなわち、地図縮尺を「大」にする。そして、その地図に携帯端末装置６の位置情報（ＧＰＳ機能で測位された位置情報）を重畳させて、ユーザＰＣ１に送信する（ステップＳＴ２０）。携帯端末装置６の位置情報を重畳させた地図をユーザＰＣ１に送信した後、検索履歴を更新し（ステップＳＴ２１）、その後、処理を終える。図７は、高精度の地図の一例である。この図において、星印は携帯端末装置６がある場所を示している。
【００３２】
一方、ステップＳＴ１６の判定において、検索対象の携帯端末装置６がロック設定されていなければ、通話停止設定中であるかどうか判定し（ステップＳＴ１７）、通話停止設定中である場合は、ステップＳＴ１８に進み、今回の位置検索がユーザによるものと判断する。以後、上述したステップＳＴ１９〜ステップＳＴ２１の処理を行う。これに対して、検索対象の携帯端末装置６が通話停止設定中で無ければ、今回の位置検索が他人によるものと判断する（ステップＳＴ２２）。そして、地図精度を低くする（ステップＳＴ２３）、すなわち、地図縮尺を「小」にする。次いで、検索対象の携帯端末装置６の設定状態において、メール送信設定されているかどうか判定し（ステップＳＴ２４）、メール送信設定されている場合は、検索対象の携帯端末装置６にメールの送信を行う（ステップＳＴ２５）。この場合、例えば「検索が行われました」という内容のメールを送信する。当該メールの送信後、精度を低くした地図に携帯端末装置６と通信を行っている基地局の位置情報を重畳させて他人ＰＣ２に送信する（ステップＳＴ２０）。基地局の位置情報を重畳させた地図を他人ＰＣ２に送信した後、検索履歴を更新し（ステップＳＴ２１）、その後、処理を終える。図８は、低精度の地図の一例である。低精度の図では、携帯端末装置６の正確な位置を見つけ出すことが難しく、検索対象の携帯端末装置６を探し出すのが困難である。
【００３３】
また、ステップＳＴ２４の判定において、メール送信設定されていなければ、着信設定されているかどうか判定し（ステップＳＴ２６）、着信設定されている場合は、検索対象の携帯端末装置６に着信通知を行う（ステップＳＴ２７）。その後、ステップＳＴ２０に進む。これに対して、着信設定されていない場合は、着信通知を行うことなく、ステップＳＴ２０に進む。メール送信設定又は着信通知設定を行うことにより、携帯端末装置６のユーザは、自分の携帯端末装置６が検索されていることを知ることができる。
【００３４】
このように、本実施の形態に係る携帯端末検索システムでは、移動通信センター４の判断部４７が、状態管理部４３におけるロック設定又は通話停止設定の各設定状態に基づいて検索者がユーザか否かを判断し、ユーザの場合は、高精度の地図に携帯端末装置６の位置情報（ＧＰＳ機能で測位された位置情報）を重畳させてユーザＰＣ１に送信し、他人の場合は、低精度の地図に縮尺を変更し、縮尺変更した地図に携帯端末装置６と通信を行っている基地局の位置情報を重畳させて他人ＰＣ２に送信する。また、他人による検索が行われた場合には検索対象の携帯端末装置６にメール送信及び／又は着信通知を行う。
【００３５】
これにより、ユーザ以外の者による不正利用を未然に防止することが可能となる。また、検索者がユーザ以外の他人である場合は携帯端末装置６の場所が分かり難くなるように地図の縮尺を変更するので、他人によって探し出されるのを防止できる。すなわち、携帯端末装置６の他人による不正利用を未然に防止することができる。この場合、地図を表示することで他人にはシステムが正常に動作していると理解させることができる。すなわち、他人は何も疑問を持つことなく検索を行うが、実際に見つけ出すことは困難であり、その間にユーザが余裕を持って探し出すことができる。
【００３６】
また、携帯端末装置６を置き忘れたり、紛失したりしてなくても、メール送信設定や着信通知設定を行うことで、リアルタイムで他人による検索を認識することができ、不正利用される前に対策を講じることができる。なお、検索履歴を確認することでも他人による検索を認識できるが、履歴を見るための操作を行わなければ、確認できないのでリアルタイム性は得られない。但し、検索履歴を残すことによって、犯罪等の不正があった場合に犯人追跡用の資料として活用することができる。
【００３７】
なお、本実施の形態では、位置情報を含む地図をゲートウェイ３経由で送信するようにしたが、インターネット等のネットワークを利用して送信するようにしても良い。また、ネットワークを利用する場合、位置検索を移動通信センター４で行うのではなく、専用のサーバ群（Ｗｅｂサーバ、測位サーバ等）で行うようにしても良い。
【００３８】
また、上記実施の形態においては、携帯端末装置の利用制限がなされていない状態で携帯端末装置のユーザが検索を行った場合（例えば、遠隔ロックや通話停止設定に先立って検索する場合など）にも、ユーザ以外の者による検索と判断され、細かな位置が分かり難くなるが、ユーザであれば、細かな位置が表示されなくても自分の記憶から携帯端末装置の位置を特定することができると想定される。すなわち、本発明によれば、ユーザ本人による検索時の情報の有用性を確保しつつ、第三者に対する情報の有用性を低下させる事でセキュリティを向上させることが可能となっている。
【００３９】
また、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００４０】
本発明は、置き忘れたり、紛失したりした携帯端末装置を検索するシステムに適用可能である。
【図面の簡単な説明】
【００４１】
【図１】本発明の一実施の形態に係る携帯端末検索システムの概略構成を示す図である。
【図２】図１に示すシステムにおける移動通信センターの概略構成を示すブロック図である。
【図３】図２に示す状態管理部で管理される情報の一例を示す図である。
【図４】図２に示す履歴管理部で管理される情報の一例を示す図である。
【図５】図２に示す本発明の実施の形態に係る携帯端末検索方法を説明するためのフロー図である。
【図６】図２に示す本発明の実施の形態に係る携帯端末検索方法の説明において、携帯端末装置を検索している最中のユーザＰＣ又は他人ＰＣ上の表示例を示す図である。
【図７】図２に示す本発明の実施の形態に係る携帯端末検索方法の説明において、携帯端末装置を検索した後のユーザＰＣ上の表示例を示す図である。
【図８】図２に示す本発明の実施の形態に係る携帯端末検索方法の説明において、携帯端末装置を検索した後の他人ＰＣ上の表示例を示す図である。
【符号の説明】
【００４２】
１  ユーザＰＣ
２  他人ＰＣ
３  ゲートウェイ
４  移動通信センター
５  移動通信網
６  携帯端末装置
４１  制御部
４２  通信制御部
４３  状態管理部
４４  履歴管理部
４５  位置情報取得部
４６  地図縮尺変更部
４７  判断部
【図１】
2008270852.tif 000003
【図２】
2008270852.tif 000004
【図３】
2008270852.tif 000005
【図４】
2008270852.tif 000006
【図５】
2008270852.tif 000007
【図６】
2008270852.tif 000008
【図７】
2008270852.tif 000009
【図８】
2008270852.tif 000010